(57)【要約】      （修正有）【課題】面ファスナーで形成され、顔面へ予め取付けられて顔面装着部材を止着するアンカー部材であり、肌荒れを生じさせずに顔面へ直接かつ強力に粘着するアンカー部材を提供する。【解決手段】マスクカバーを止着するアンカー部材を、基部２１とその表面側へ突出する雄側係合部材２３とを一体に備える雄側面ファスナーアンカー２０とする。基部２１の裏面は平滑面をなし、粘着層２２を介して顔面へ痛覚を与えずに直接取付ける。粘着層は、粘着力の強い生体用粘着材とし、粘着力が６．０Ｎ／ｃｍ以上の高粘着力タイプとする。【選択図】図３
0003208342.tif 000002
【実用新案登録請求の範囲】
【請求項１】
予め顔面（１０）へ取付けられて、顔面装着部材（３０）を顔面へ止着するアンカー部材（２０）において、
このアンカー部材（２０）は、顔面へ取付けられる基部（２１）と、この基部から一体に突出して先端を係合部とする雄側係合部材（２３）とを備えた雄側面ファスナーからなり、
前記基部（２１）は顔面側に平滑面が設けられ、この平滑面に生体用粘着剤からなる粘着層（２２）が設けられ、この粘着層（２２）を介して前記基部（２１）が顔面（１０）へ直接粘着されるとともに、
この生体用粘着剤は、粘着力が３．０Ｎ／ｃｍ以上の中粘着力タイプ、高粘着力タイプもしくは超高粘着力タイプであることを特徴とするアンカー部材。
【請求項２】
前記生体用粘着剤は、粘着力が１０．０Ｎ／ｃｍ以上の超高粘着力タイプであることを特徴とする請求項１に記載したアンカー部材。
【請求項３】
前記顔面装着部材（３０）の雄側係合部材（２３）に対する剥がし方向における係合による結合力（Ｆ２）が、前記粘着層（２２）の顔面に対する粘着による結合力（Ｆ３）より弱い（Ｆ２＜Ｆ３）、
ことを特徴とする請求項１又は２に記載したアンカー部材。
【請求項４】
厚さが０．３〜１．０ｍｍ程度の薄型に形成され、かつ前記アンカー部材（２０）と前記粘着層（２２）の輪郭が一致する小型に形成されていることを特徴とする請求項１〜３のいずれか１項に記載したアンカー部材。
【請求項５】
形状調節部（５０）が形成されていることを特徴とする請求項１〜４のいずれか１項に記載したアンカー部材。
【請求項６】
形状調節部（５０）が前記アンカー部材（２０）の周囲に形成されたスリット（５１）からなることを特徴とする請求項５に記載したアンカー部材。
【考案の詳細な説明】
【技術分野】
【０００１】
この考案は、耳掛け紐の無いマスク等の顔面装着部材を顔面上へ止着するために、予め顔面へ取付けられるアンカー部材に関する。
【背景技術】
【０００２】
顔面へ予めアンカー部材を取付け、このアンカー部材を介して耳掛け紐のないマスクを着脱自在に顔面へ装着することは公知である。また、このアンカー部材を雄側面ファスナーで構成したものもある（特許文献１）。
【先行技術文献】
【特許文献】
【０００３】
【特許文献１】実用新案登録第３２０３９０１号公報
【考案の概要】
【考案が解決しようとする課題】
【０００４】
ところで、上記特許文献１に記載されているアンカー部材は、粘着材により直接顔面へ貼り付けて使用すると肌荒れを起こす可能性があった。
このような肌荒れを生じない粘着材としてはシリコンがあったが、シリコンの粘着力は比較的弱く、顔面に使用するアンカー部材には不向きであった。
したがって、顔面へ強力に粘着でき、しかも肌荒れをしないものが求められていた。
【課題を解決するための手段】
【０００５】
上記課題を解決するため本願考案に係るアンカー部材は、予め顔面（１０）へ取付けられて、顔面装着部材（３０）を顔面へ止着するアンカー部材（２０）において、
このアンカー部材（２０）は、顔面へ取付けられる基部（２１）と、この基部から一体に突出して先端を係合部とする雄側係合部材（２３）とを備えた雄側面ファスナーからなり、前記基部（２１）は顔面側に平滑面が設けられ、この平滑面に生体用粘着剤からなる粘着層（２２）が設けられ、この粘着層（２２）を介して前記基部（２１）が顔面（１０）へ直接粘着されるとともに、
この生体用粘着剤は、粘着力が３．０Ｎ／ｃｍ以上の中粘着力タイプ、高粘着力タイプもしくは超高粘着力タイプであることを特徴とする。なお、粘着力が１０．０Ｎ／ｃｍ以上の超高粘着力タイプとすることもできる。
【考案の効果】
【０００６】
本願考案によれば、アンカー部材として雄側面ファスナーを用いたので、比較的剛性のある雄側面ファスナーをアンカー部材として、顔面装着部材を確実かつ容易に着脱できる。
しかも、雄側面ファスナーは基部の裏面が平滑面をなすので、雄側面ファスナーを直接顔面へ取付けても顔面に対する痛覚を回避し、顔面に対する不快感を生じさせないようにすることができ、粘着層を介して直接顔面へ取付けることができる。
そのうえ、粘着層を生体用粘着剤とし、その粘着力が３．０Ｎ／ｃｍ以上の中粘着力タイプ、高粘着力タイプもしくは超高粘着力タイプとしたので、肌荒れを生じることなく顔面へ強く粘着させつつ、顔面装着部材の着脱が可能になる。
【図面の簡単な説明】
【０００７】
【図１】マスクカバーの装着前状態を示す斜視図
【図２】マスクカバーの装着時状態を示す斜視図
【図３】実施例に係るアンカー部材の正面図及び断面図
【図４】上記アンカー部材の製造装置を示す模式図
【図５】上記アンカー部材の表面側の一部拡大斜視図及び断面図図
【図６】別実施例に係るアンカー部材の正面図
【図７】上記アンカー部材の顔面取付状態を示す断面図
【考案を実施するための形態】
【０００８】
図１〜５は一実施例に係り、図１は本願のアンカー部材に対してマスクカバーを装着する途中の状態、図２は装着後の状態をそれぞれ示す。
顔面１０の耳１１近傍における左右両頬１２に予め雄側面ファスナーアンカー２０（本願考案におけるアンカー部材の一例をなす）が着脱自在に取付けられている。雄側面ファス
ナーアンカー２０の取付位置は、頬１２のうち、鼻１３と耳１１の中間部で耳１１寄りの位置である。１４は目、１５は口、１７は耳前方の髪の毛（「もみあげ」ともいう）である。
【０００９】
なお、雄側面ファスナーアンカー２０の取付位置は任意に設定できる。本実施例では、鼻１３の先端側後方かつ耳の穴前方に位置する突起１１ａの前方となる頬骨上位置１２ａになっている。この位置は、耳たぶ１１ｂの近傍でもあって、雄側面ファスナーアンカー２０を容易に取付けできるスペースがあるとともに、マスクカバー３０の支持に適した位置であり、かつ雄側面ファスナーアンカー２０を露出させる場合に周囲から見えやすい位置でもある。
【００１０】
また、耳前方の髪の毛１７と耳１１との間に形成される耳前方部１２ｂも、マスクカバー３０を支持する雄側面ファスナーアンカー２０の取付位置に適している。この位置は、特に化粧をした女性などにおいても、この部分はほとんど化粧がされないため、雄側面ファ
スナーアンカー２０を着脱しても、化粧が乱れる心配のない部分である。
なお、耳前方部１２ｂは、比較的前後方向（横幅方向）の狭い部分であるが、雄側面ファスナーアンカー２０を図示形状と異なる楕円等の縦長形状にしておけば、耳前方部１２ｂへ容易に取付けることができる。
【００１１】
左右の雄側面ファスナーアンカー２０にはマスクカバー３０の左右両端が着脱自在に止着される。マスクカバー３０は不織布等の通気性を有する繊維素材であり、左右の頬１２間を横断して顔面１０の下半部全体を覆う左右方向へ長い部材であり、鼻１３、口１５、顎１６を覆う。
【００１２】
マスクカバー３０は本願考案における顔面装着部材の一例であり、左右方向中間部の本体部３１と、その左右両側から耳１１方向へ延びる延出部３２を一体に備え、顔面へフィットするように立体的に形成されている。延出部３２の裏側（顔面１０に対面する側）で雄側面ファスナーアンカー２０に重なる位置には結合部３３が設けられている。この例における結合部３３は、雌側面ファスナーであり、両面接着等で延出部３２の裏面へ予め取付けられている。
【００１３】
雄側面ファスナーアンカー２０は雄側の面ファスナーで構成されており、その表面に雄側結合部が設けられ、これに雌側面ファスナーからなる結合部３３が係合可能になっており、その結果、結合部３３は雄側面ファスナーアンカー２０へ係脱自在になっている。
なお、マスクカバー３０がフェルトや不織布、又はガーゼのような織布などの布であり、雄側面ファスナーアンカー２０に結合する部分の表面が起毛等してそれ自体が雌側面ファスナーとして機能できる場合は雌側面ファスナーを省略可能である。
【００１４】
すなわち、結合部３３は雌側面ファスナー機能部であり、マスクカバー３０の一部（少なくとも雄側面ファスナーのアンカー２０へ重なる部分）が起毛等して雌側面ファスナーとして機能する場合は、この部分自体を結合部３３とし、別体の雌側面ファスナーを省略することができる。但し、マスクカバー３０が布であっても、平織りの場合は、別体の結合部３３を設けることが好ましい。
【００１５】
本体部３１の裏側には、医療用もしくは衛生用の交換マスク３４が重ねられている。交換マスク３４は、例えば花粉対策として５μｍ以上の微粒子を捕捉できる家庭用の衛生マスクであり、市販されている既製品である。但し、耳掛け紐のないフィルター本体部のみからなり、ガーゼや不織布などの適当な素材を単純に四角状に折り畳んだものでもよい。また、マスクの性能は、より小さな微粒子を捕捉できる医療用や産業用のものでもよい。
【００１６】
この交換マスク３４は、本体部３１の裏側へ重ねられることにより、鼻１３、目１４もしくは口１５を覆った状態で、マスクカバー３０により顔面１０上へ固定される。但し、交換マスク３４をマスクカバー３０へ、より確実に固定させるには、必要により両面接着テープ等により仮止めすることもできる。
【００１７】
本体部３１の表面には、上部表示３５と下部表示３６が設けられている。これらはマスクカバー３０を上下反対にして使用することを防止するためのものであり、上部表示３５は、例えば鼻１３の上になる部分に、「ＮＯＳＥ」の文字と上向き矢印、下部表示３６はあご１６の上になる部分に「ＣＨＩＮ」の文字と下向き矢印を表示することにより形成されている。
【００１８】
ただし、上部表示３５と下部表示３６はこのような文字や記号に限らず、種々の文字、符号、記号や図形などが可能であり、例えば、△▽などでもよい。
また、結合部３３の表側に結合部表示３７が設けられ、この例では、結合方向を示す矢印等の適当な表示が設けられている。この表示も、種々の文字、符号、記号や図形などが可能である。
【００１９】
図１に示すように、本体部３１の裏側へ交換マスク３４を重ね、予め一方側の結合部３３を雄側面ファスナーアンカー２０へ係合させ、本体部３１及び交換マスク３４を鼻１３、目１４上へ重ね、他方側の結合部３３を対向する側の雄側面ファスナーアンカー２０へ重ねて係合させる。
これにより、図２に示すように、マスクカバー３０は左右両端の結合部３３が左右両頬１２上の雄側面ファスナーアンカー２０へ係合することにより顔面１０上に止着固定され、同時に交換マスク３４もマスクカバー３０により顔面１０上に固定される。
【００２０】
このとき、マスクカバー３０における結合部３３表側には、結合部表示３７が設けられているので、結合部３３を雄側面ファスナーアンカー２０の上へ容易に重ねることができる。また、上部表示３５と下部表示３６の存在により上下の合わせも正確にできる。
【００２１】
この装着状態において、左右の延出部３２は交換マスク３４から左右へ延び、耳１１近傍まで頬１２の上を覆う。また、上下方向にても、本体部３１の上下部が交換マスク３４の上下を越えて長く延びだしている。
したがって、マスクカバー３０は交換マスク３４を完全に覆い、交換マスク３４を露出させないため、顔面装飾としても機能している。
また、交換マスク３４を耳掛け紐で耳１１へ掛けないため、長時間装着しても耳の付け根が痛くなることがない。
【００２２】
また、雄側面ファスナーアンカー２０は予め顔面１０へ取り付けたままとしておくことができる。雄側面ファスナーアンカー２０は顔面へ粘着剤により取付けてから一度剥がすと、粘着剤の表面に皮脂が付着することにより、再度の粘着が困難になり、繰り返し使用が難しくなるが、雄側面ファスナーアンカー２０を剥がさなければ雄側面ファスナーアンカー２０は顔面１０に対する当初の取付状態を維持し、アンカーとしての機能を失わない。そこで、雄側面ファスナーアンカー２０を剥がさず、マスクカバー３０のみを脱着することにより、顔面１０へマスクカバー３０を複数回着脱できる。
【００２３】
しかも、マスクカバー３０を装着しないときは、雄側面ファスナーアンカー２０が顔面１０の上に露出して配置されることになるが、雄側面ファスナーアンカー２０の表面には後述するように、印刷により装飾が施されているので、雄側面ファスナーアンカー２０を積極的に顔面１０の装飾部材として機能させることができる。
【００２４】
図３及び図５は雄側面ファスナーとして形成された雄側面ファスナーアンカー２０の詳細を示す。図３はＡに雄側面ファスナーアンカー２０の正面図、ＢにＡのＢ−Ｂ線断面図を示す。これらにおいて、雄側面ファスナーアンカー２０は基部２１の裏面に、医療用粘着剤（生体用粘着剤）が塗布された粘着層２２が形成され、顔面１０へ着脱自在に取付可能である。そのうえ、比較的敏感な顔面へ直接貼り付けても、肌荒れ等の不快を生じず、かつ比較的皮脂があって粘着しにくい顔面へも強力に粘着できる。
【００２５】
医療用粘着剤は、生体への強力な粘着を可能にしつつも、肌荒れ等の不快を生じないように調整されたものであり、「ＩＳＯ  １０９９３  パート１」に定められた生物学的評価に従ってＦＤＡの認証を受けたものである。具体的な一例としては、「３Ｍ高粘着順応性両面テープ＃１５１０」（３Ｍ社製商品名）がある。この製品は合成ゴム系の粘着剤であって、０．０３〜０．０５ｍｍ程度の厚さであり、その粘着力は、３Ｍ社の粘着力区分において超高粘着力タイプに属し、プロピレン板に対して１６．６Ｎ／ｃｍと高く、シリコン系粘着剤のスチール板に対する粘着力が、０．４Ｎ／ｃｍ程度であるのに比べて極めて強力に粘着できることが明らかである。但し、実際の粘着力はばらつきを考慮して、複数サンプルの測定値にて最低１５．０Ｎ／ｃｍ以上とする。
【００２６】
顔面は皮脂が多く、本来、粘着しにくいため、後述する雄側係合部材に対する方向性のある結合力の設定と相まって、超高粘着力タイプの生体用粘着剤を用いることにより、実用上で十分に満足のできる雄側面ファスナーアンカー２０を実現できるようになり、肌荒れせずかつ長時間顔面へ取付けるとともに、顔面装着部材の繰り返し着脱が可能になった。
【００２７】
なお、スチール板に対する粘着力の区分として、超高粘着力タイプの粘着力を、１０．０Ｎ／ｃｍ以上、高粘着力タイプの粘着力を、６．０Ｎ／ｃｍ〜１０．０Ｎ／ｃｍ未満、中粘着力タイプの粘着力を、３．０Ｎ／ｃｍ〜６．０Ｎ／ｃｍ未満、低粘着力タイプの粘着力を３．０Ｎ／ｃｍ未満とすれば、中粘着力タイプ以上の粘着力を有する粘着剤も本願の雄側面ファスナーアンカー２０における粘着層２２として使用可能である。
【００２８】
但し、顔面装着部材を着脱させながらの顔面における長時間の粘着安定性（剥がれにくさ）において、高粘着力タイプ以上の粘着力を有する粘着剤が好ましく、超高粘着力タイプとすることが最も好ましい。特に、１６．０Ｎ／ｃｍ以上の粘着力を有する超高粘着力タイプの生体用粘着剤が最適であり、長時間にわたって顔面上で安定して使用でき、かつ少々荒っぽく顔面装着部材を着脱操作しても剥がれにくくなる。
【００２９】
なお、高粘着力タイプ、中粘着力タイプの順に、顔面へ貼り付けておくことができる時間が短くなり、かつ顔面装着部材を着脱操作を慎重にすることが必要になる。低粘着力タイプ（このタイプにはシリコンが含まれる）は、顔面装着部材を着脱させながらの顔面へ安定して粘着させておくことには不向きである。
【００３０】
基部２１の表面側には、雄側係合部材２３が形成され、その上に装飾部としての装飾印刷層２４が形成されている。なお、図３のＢは、雄側係合部材２３及び装飾印刷層２４を概略的にかつ誇張したサイズの表記になっている。装飾印刷層２４は本願における装飾部に相当する。
【００３１】
装飾印刷層２４は雄側係合部材２３の上から施され、例えば、宝飾類（ビジュー）を模した宝飾風装飾印刷（ビジュー印刷という）となっている。図３のＡに示す例では、正面視６角形状をなし、表面全体がビジューの印刷による装飾印刷層２４になっている。周囲の縁取り部２４ｃは、カット面を示すように表現されている。
【００３２】
また、ビジュー印刷とすることにより、雄側面ファスナーアンカー２０を顔面１０へ取付けたまま、これへマスクカバー３０を係合しない状態で、顔面１０を装飾する宝飾風顔面アクセサリーとすることができる。したがって、雄側面ファスナーアンカー２０を単独で比較的長時間顔面１０上へ取付けておくことが可能になる。
但し、装飾印刷層２４としてビジューの印刷は必須ではなく、宝飾風以外の模様や形状等からなる適宜装飾にすることができる。
【００３３】
雄側面ファスナーアンカー２０は帯状に連続して製造された雄側面ファスナーの原反ロール、もしくは予めこれを適当長さにカットした正方形もしくは長方形のカットシートから切り出される。以下、原反ロールやカットシートを雄側面ファスナーアンカー２０の原材料という。
【００３４】
図４は、Ａに粘着層の積層工程を示す。まず、面ファスナーの原反ロール４０から、連続する面ファスナーのシート４１を、基部２１の裏面を上にして引き出し、その上に粘着剤４２を塗布して粘着層２２を形成し、続いて粘着層２２の上に剥離紙４４を重ねて貼り合わせて積層シート４５とする。この積層シート４５はロール状に巻き取られても良いし、適当長さにカットしてカットシートとしてもよい。
【００３５】
図中のＢはカットシートの平面形状を示す。積層シート４５（カットシート）は、さらに、雄側面ファスナーアンカーとなるように所定形状にカットされる。なお、このカットは、後述する印刷工程の後におこなわれ、印刷は、ロール４０状の連続する積層シート４５又はそのカットシートに対しておこなわれる。
【００３６】
ここで、雄側面ファスナーアンカーとするカットは、例えば、正六角形４６、分銅形（自由形）４７、円形４８、細い長方形４９ａ、太い長方形４９ｂ等任意形状にカットされる。
このとき、原材料からの切り出しに伴う材料ロスは、正六角形４６、分銅形４７、円形４８等において多く、このようなロスを生じる形状をロス形状ということにする。
一方、細い長方形４９ａや太い長方形４９ｂ、さらには図示しない正方形は、１辺の長さを積層シート４５又はそのカットシートの幅とすることにより、最もロスを少なくすることができる。このようなロスを殆ど生じない形状を非ロス形状ということにする。
【００３７】
このように、雄側面ファスナーアンカーを粘着層２２と一体の状態でカットすることにより、雄側面ファスナーアンカー２０の裏面一杯に粘着層２２を形成できる。仮に、後加工で粘着層２２を形成すると、雄側面ファスナーアンカー２０からのはみ出しを防ぐため、雄側面ファスナーアンカー２０の輪郭より若干内側へ引き込めて形成する必要がある。
しかしこのようにすると、粘着層２２の面積が少なくなるので、所定の粘着力を確保するためには、雄側面ファスナーアンカー２０を大型化して粘着層２２の面積を確保する必要が生じる。一方、本願考案のように、雄側面ファスナーアンカー２０を粘着層２２と一体にカットすることにより、雄側面ファスナーアンカー２０と粘着層２２の輪郭を一致させることができるので、雄側面ファスナーアンカー２０を小型化することができる。
【００３８】
本願の雄側面ファスナーアンカー２０はその形状による装飾性を実現するため、あえて材料ロスの生じる形状であるロス形状を採用している。このような形状は、例えば、円形・楕円形・正六角形、等の幾何学的形状であってもよく、このような形状でも、外接する正方形もしくは長方形、から切り出すとき１０％以上の材料ロスを生じる。ロス形状にすることで切り出し後の形状を装飾的にすることができる。本願の雄側面ファスナーアンカー２０はすべてロス形状である。
【００３９】
なお、正方形もしくは長方形であっても、面取りや角アール処理することにより、若干の材料ロスを生じるものがある。しかし、このような、面取りや角アール処理は、外接する正方形もしくは長方形に対して数％以下の微小な材料ロスを生じるにすぎないため、このようなものは本願のロス形状に含めず、非ロス形状に含めることにする。
【００４０】
以下、雄側面ファスナーアンカー２０の細部構造を説明する。
図５はＡに雄側面ファスナーアンカー２０を構成する基部２１の表面側の一部を拡大した斜視図、Ｂに図３のＢにおける断面の一部を拡大した拡大断面図を示す。
【００４１】
まず、Ａにおいて、基部２１は、ポリプロピレン樹脂等の適宜熱可塑性樹脂からなり、その表面に多数の雄側係合部材２３が密に立設されている。各雄側係合部材２３は、略きのこ型をなし、基部２１から一体に突出形成された軸部２３ａと、その突出側先端を略偏平形状にした拡大頭部２３ｂとを有する。この例における拡大頭部２３ｂは軸部２３ａの軸方向から見た平面視で小判状又は長円状になっており、長径部分が最大幅部、短径部分が小幅部になっている。各雄側係合部材２３は、隣り合う拡大頭部２３ｂの間に若干の間隙を形成するようにして配列されている。
【００４２】
図５のＢに示すように、多数の拡大頭部２３ｂがそれぞれ略偏平形状をなし、若干の間隙を介して配列することにより、表面側を所定距離離れて見たとき（以下、離隔観察という）、各拡大頭部２３ｂの表面がほぼ連続する一つの平面をなすように見える。したがって、各拡大頭部２３ｂの表面に印刷すると、略偏平形状の表面に頭部印刷層２４ａが形成され、この各頭部印刷層２４ａが隣り合って密に配列されることにより、ほぼ平坦で実質的に同一平面をなす印刷面を形成するので、この平坦な印刷面へ印刷することにより、全体として美しい装飾印刷層２４が形成される。なお、図５のＢにおける雄側係合部材２３の拡大頭部２３ｂは最大幅部の断面を示している。
【００４３】
この装飾印刷層２４は、インクジェット印刷によって形成される。インクジェット印刷とは、公知のインクジェットプリンタにより、被印字媒体に対して微滴化したインクをノズルから直接に吹き付ける印刷方式であり、きめ細かで高精細な印刷が可能である。しかも、ノズルが被印字媒体に非接触であるから、印刷面が個々の独立した多数の拡大頭部２３ｂからなるものであっても、拡大頭部２３ｂを変形させることなく印刷面を安定した状態に保って印刷できる。また、インクが速乾性を有するため、液だれが生じず、拡大頭部２３ｂ間に間隙があっても、微滴化したインクが確実に間隙内へ入り込むことにより、輪郭の整った頭部印刷層２４ａを形成できる。  
【００４４】
また、各拡大頭部２３ｂの間には、基部２１上に目地印刷層２４ｂが形成される。この目地印刷層２４ｂは、隣り合う拡大頭部２３ｂ間の間隙を埋めるものであり、離隔観察において、頭部印刷層２４ａと連続し、頭部印刷層２４ａと目地印刷層２４ｂとにより、印刷むらの少ない装飾印刷層２４が形成される。したがって、印刷面が実際には多数の拡大頭部２３ｂからなり、各拡大頭部２３ｂ間に微小な間隙が形成されるものであっても、装飾印刷層２４はあたかも単一な平面上に印刷されたかのように、滑らかに連続する単一の印刷層からなるもののように見える。このため面ファスナーの表面に対する印刷であっても、ビジューなどを模した高精細で装飾効果の高い表現が可能になる。
【００４５】
なお、紫外線硬化タイプのインク（ＵＶインク）を用いれば、速乾性があり、かつ硬化後の印刷面が硬くなって擦過キズ等の発生が少なくなるので、インクジェットによる安定した装飾印刷層２４を形成するインクとしてＵＶインクが最適である。
そのうえ、インクが微滴であるため、拡大頭部２３ｂ間の間隙に入って、基部２１上に正確な目地印刷層２４ｂが形成できる。
但し、装飾印刷層２４は、インクジェット印刷以外の他の印刷手法によって形成することもできる。
【００４６】
雄側面ファスナーアンカー２０は薄型に形成される。図５のＢにおいて寸法の一例を示せば、基部２１の肉厚ｔ１が０．１ｍｍ及び粘着層２２の肉厚ｔ２が０．０５ｍｍ、雄側係合部材２３の突出長さ（頭部印刷層２４ａを含む）ｈが０．３ｍｍ、全体の肉厚ｔ３が０．４５ｍｍである。なお、インクジェット印刷による装飾印刷層２４の暑さは、数μｍ以下のため無視してある（但し、図中の膜厚は誇張して拡大表示している）。
【００４７】
このように、全体の肉厚ｔ３がばらつきを考慮しても、０．３〜０．５ｍｍ程度になるので、極めて薄型となり、顔面へ装着して使用しても視界に入りにくくなり、不快感なく使用可能になる。また、顔面装着部材の着脱時においても、薄いため他の部材に引っかかりにくくなって剥がれにくくなる。
【００４８】
なお、本願における薄型の雄側面ファスナーアンカー２０は、その厚さが、０．３ｍｍ〜１．０ｍｍの範囲で設けられる。１．０ｍｍより厚くなると目障りになりやすく、しかも他の部材に引っかかりやすくなって剥がれやすくなる。
したがって上限側の厚みはできる限り、０．８ｍｍ以下にすることが好ましい。最も好ましい厚さは０．３ｍｍ〜０．８ｍｍである。これより薄くすることは製造上困難であるとともにアンカー部材としての機能が著しく低下する。
【００４９】
また、拡大頭部２３ｂの最大幅部の寸法ｄ１が０．６ｍｍ、軸部２３ａの直径Ｄが０．２ｍｍ、隣り合う拡大頭部２３ｂの各最大部間の間隙ｄ２が０．２ｍｍである。なお、隣り合う拡大頭部２３ｂの小幅部間の間隙ｄ４（図５のＡ参照）もｄ２と同程度もしくはそれより若干狭い程度になっている。
また、雄側係合部材２３は比較的高密度に形成され、髪の毛が絡みにくい構造になっている。
【００５０】
このように、軸部２３ａが比較的細くかつ突出長さの短い雄側係合部材２３を密に設けることにより、薄型の雄側面ファスナーを実現でき、顔面に取付けたとき、顔面から突出する量が少なく、違和感なく快適に顔面へ取付けて使用できる雄側面ファスナーアンカー２０とすることができる。また、雄側面ファスナーアンカー２０は、その輪郭が粘着層２２の輪郭と一致することにより、小型化されている。
【００５１】
なお、雄側面ファスナーアンカー２０の外接円を想定したとき、この外接円の直径が１．０〜２．０ｃｍと小型化になっており、顔面へ貼り付けて使用するときの違和感を殆ど感じさせない大きさになっている。但し、雄側面ファスナーアンカー２０の大きさは、違和感を生じさせない範囲で自由であり、外接円の直径もこの実施例より大きくすることが自由にできる。
【００５２】
基部２１の裏面は平滑面をなしている。これは、基部２１と雄側係合部材２３を一体に形成することにより可能になる。仮に、雄側係合部材２３を基部２１と別部材として、基部２１へ植毛するように突き刺して設けるとすれば、裏面に雄側係合部材２３の端部が多数突出し、この突出部によって裏面が凹凸面になるため、これを顔面へ接触させれば、痛覚を覚えることになり、実際上使用できない。顔面上で使用するには特許文献２に示した結合部のような大きな別部材を介在させて面ファスナーが直接顔面へ接触しないようにしなければならない。
【００５３】
しかし、本願における基部２１の裏面は平滑面をなしているので、顔面へ不快感を与えずに取付け、顔面への粘着層２２を介しての直接取付が可能になる。
そのうえ、基部２１を粘着層２２で顔面へ直接取付けできるので、他の比較的大きな介在部材を要さず、雄側面ファスナーアンカー２０は雄側面ファスナー機能部のみの外観をなすため、不要物を外観させず、装飾的に優れた外観にすることができ、かつ比較的小型にして、顔面取付時における苦痛や不快感を低減させている。
【００５４】
このように雄側面ファスナーアンカー２０が薄型であると、顔面１０の頬１２もしくは頬骨上位置１２ａ（図１）等へ取付けても顔面からの突出量が少ないため、目尻側等の視界内に入って目障りになることが少なくなる。このため、顔面アクセサリーとして単独使用するときも、違和感を少なくして、長時間快適に使用することができる。
そのうえ、小型でかつ突出量の少ない薄型になっているため、顔面装着部材の脱着時等において他の部材等と接触しても剥がれにくくなる。また、接触すること自体も少なくなる。
なお、この寸法は一例であり、使用目的等により自由に種々設定できる。
【００５５】
また、拡大頭部２３ｂを設けることによって、雌側面ファスナー機能部との係合力に大きな方向性を形成できる。すなわち、雌側面ファスナー機能部と係合したとき、係合力は軸部２３ａの軸直交方向の係合力Ｆ１は大きく、雌側面ファスナー機能部を剥がすときにおける軸方向の係合力Ｆ２は小さくなる。
ここで、係合力Ｆ１及びＦ２並びに顔面に対する粘着による結合力Ｆ３は、Ｆ３＞Ｆ１＞Ｆ２の関係を満たすように設定される。
【００５６】
係合力Ｆ２は、図５のＢに示すように、拡大頭部２３ｂの傾斜面２３ｃによって調整される。拡大頭部２３ｂの裏面は、軸部２３ａから拡大頭部２３ｂの突出方向（図の左右方向）先端に向かって斜め上がりに傾斜する傾斜面２３ｃになっている。このようにすると、拡大頭部２３ｂに係合している雌側面ファスナー機能部を、軸部２３ａの軸方向に沿って図の上方へ矢示Ｆ２方向へ剥がすとき、係合力を弱くして剥がし易くなるように調整できる。
このＦ２方向へ剥がすときの係合力Ｆ２は、傾斜面２３ｃの傾斜角度調整や湾曲もしくは凹凸等の種々形状を施すことにより自由に調節できる。
【００５７】
なお、剥がす方向の係合力は、粘着層２２の顔面に対して粘着している結合力Ｆ３よりも小さくなる様に設定され、雌側面ファスナー機能部を矢示Ｆ２方向へ剥がしても、雄側面ファスナーアンカー２０を顔面へ粘着状態で残すことができるようになっている。
したがって、マスクカバー３０の装着時には、雄側面ファスナーアンカー２０と雌側面ファスナー機能部である結合部３３との係合は軸部２３ａを軸直交方向へ引っ張る方向となるため、結合部３３は大きな係合力Ｆ１にて雄側面ファスナーアンカー２０へ係合により止着され、マスクカバー３０を確実に顔面１０上へ支持できる。
【００５８】
一方、結合部３３と雄側面ファスナーアンカー２０の係合を解く場合には、結合部３３の雌側面ファスナー機能部を軸部２３ａの軸方向へ引っ張って引き剥がす。このとき係合力Ｆ１より小さな係合力Ｆ２で引っ張れば、雌側面ファスナー機能部の係合を容易に解くことができる。このため、係合力Ｆ１とＦ２の間に大きな方向性を形成でき、マスクカバー３０の顔面１０上における支持を確実にするとともに、取り外しを容易にできる。
【００５９】
これにより、雄側面ファスナーアンカー２０を顔面へ取付けたままの状態で、マスクカバー３０の支持並びに取り外しが可能になる。しかも、Ｆ１＞Ｆ２なる方向性を顕著にすることで、上記、Ｆ３＞Ｆ１＞Ｆ２の関係を容易に実現できる。しかも、このように大きなＦ３は超高粘着力タイプ（高粘着力タイプ）の粘着剤を採用することによって実現された。
なお、上記の係合力Ｆ１及びＦ２並びにＦ３の関係は、マスクカバー３０以外の後述する他の顔面装着部材を止着する場合も同じである。
【００６０】
このように、剥離時の結合力Ｆ２を粘着層２２が顔面へ粘着している結合力Ｆ３より小さくすることで、雄側面ファスナーアンカー２０を顔面へ粘着させた状態のまま、雌側面ファスナー機能部を雄側面ファスナーアンカー２０から容易に剥がすことができる。その結果、雄側面ファスナーアンカー２０は顔面へ粘着されたままの状態を維持するので、マスクカバー３０を取り外した後も、雄側面ファスナーアンカー２０を顔面へ残しておくことができ、マスクカバー３０の交換や着脱を繰り返すことができる。また、マスクカバー３０を取り外したときは、雄側面ファスナーアンカー２０を単独で、顔面上のアクセサリーとして装飾的に使用することができる。
【００６１】
また、雄側面ファスナーアンカー２０をマスクカバー３０と一緒に一度顔面から剥がすと、その後再び同じ雄側面ファスナーアンカー２０を顔面へ取付けようとしても、顔面の皮脂のために粘着層２２の粘着力が低下しているため、顔面へ粘着しにくくなる。このため、同じ雄側面ファスナーアンカー２０を顔面へ何回も着脱して反復使用することが困難になる。しかし、雄側面ファスナーアンカー２０を剥がさず、装飾部材として顔面上へ残しておくことにより、同じ雄側面ファスナーアンカー２０に対して同一又は異なるマスクカバー３０を何回も着脱することが可能になり、雄側面ファスナーアンカー２０を使い捨てでなく、長く使用することができる。
【００６２】
図６は別実施例であり、雄側面ファスナーアンカー２０の周囲に形状調節部５０を形成したものである。形状調節部５０は外周側から内側へ向かって切り込まれた略Ｖ字形のスリット５１からなる。ただし、スリット５１の形状や数並びに設ける場所や切り込み深さは任意である。雄側面ファスナーアンカー２０は、図３に示したものと同様形状のものとして例示してある。但し、雄側面ファスナーアンカー２０の形状は任意である。
【００６３】
図７は雄側面ファスナーアンカー２０を顔面１０へ貼った状態の断面を示す。雄側面ファスナーアンカー２０は、顔面１０の凹凸５２があっても、形状調節部５０のスリット５１における幅を調節することにより、顔面の凹凸５２に馴染んで貼り付け可能になる。
なお、形状調節部５０はスリット５１に限らず、抜き孔や薄肉状の弱体部等を設けることによっても可能である。
【００６４】
なお、本願考案は上記の各実施例に限定されるものではなく、考案の原理内において種々に変形や応用が可能である。例えば、顔面装着部材は、医療用又は衛生用のマスク、アイマスク、仮装用などのお面、さらには顔面アクセサリー等がある。
また、雄側面ファスナーアンカー２０の形状や数量は自由であり、鼻１３、目１４もしくは口１５などの回りへ複数設けてもよい。
【符号の説明】
【００６５】
１０：顔面、１１：耳、１２：頬、１３：鼻、１４：目、２０：雄側面ファスナーアンカー、２２：粘着層、２３：雄側係合部材、２３ａ：軸部、２３ｂ：拡大頭部、２４：装飾印刷層、３０：マスクカバー、３２：延出部、３３：結合部、５０：形状調節部、５１：スリット、５２：凹凸
【図１】
0003208342.tif 000003
【図２】
0003208342.tif 000004
【図３】
0003208342.tif 000005
【図４】
0003208342.tif 000006
【図５】
0003208342.tif 000007
【図６】
0003208342.tif 000008
【図７】
0003208342.tif 000009